(57)【要約】【課題】家の中を掃除する場合、通常は掃除機の床用ノズルやすき間ノズルを使って部屋とか床面を掃除するが、広いスペースの掃除はよいとしても、すき間ノズルが入りにくいアルミ戸の深いレール溝の間とか、ノズルが吸い付いて一向にはかどらないカーテンなどの布地のほこり除去はかなり困難である。このような個所をきれいに掃除する掃除用具の提供を目指す。【解決手段】軸受に通した軸棒の一端にブラシを、他端に気流を受けて回転するプロペラを取り付け、軸受の周囲に複数のプレートを放射状かつプレート外縁が円弧を描くように配した放射状プレートを装着し、掃除機への通電による吸気発生により軸棒に連結したプロペラおよびブラシを回転させてゴミやホコリを除去するしくみとした。【選択図】図１
2020054769.tif 000002
【特許請求の範囲】
【請求項１】
軸受に通した軸棒の一端にブラシを、他端に気流を受けて回転するプロペラを取り付け、軸受の周囲に複数のプレートを放射状かつプレート外縁が円弧を描くように配した放射状プレートを装着し、掃除機への通電による吸気発生により軸棒に連結したプロペラおよびブラシが回転することを特徴とする掃除機ノズル用回転ブラシ。
【請求項２】
ブラシの回転は、掃除機吸気ホースの延長線を中心軸として回るこまと同じ回転方向であり、水平軸を中心軸とする回転とは異なることを特徴とする請求項１記載の掃除機ノズル用回転ブラシ。
【請求項３】
ブラシのはけ毛を束ねるホルダーの断面形状が長方形、正方形、楕円形、円形、その他の多角形および変形など形状を選ばないことを特徴とする請求項１記載の掃除機ノズル用回転ブラシ。
【発明の詳細な説明】
【技術分野】
【０００１】  本発明は、掃除機で部屋の中を掃除する場合に、床用ノズルあるいはすき間ノズルでは入り込めない深く入り組んだ個所や、カーテンなどの布地にたまったゴミやホコリを取り除く掃除機ノズル用の回転ブラシに関するものである。
【背景技術】
【０００２】  家の掃除をする場合、通常は掃除機の先端に床用ノズルを装着して部屋や廊下のゴミやホコリを吸い取っているが、床用ノズルが入らないガラス戸や障子戸の桟、アルミサッシ戸や雨戸のレールの深い溝にたまったゴミなどは、すき間ノズルを使ってなんとか吸い込んでいるのが現状であるが、十分とはいえない。さらに、コンセントの近くなど電気配線が複雑にからみ合った場所は、たまったホコリが漏電火災の原因ともなりかねずたいへん危険であるが、確実に取り除くのはむずかしい。カーテンに付着したホコリについては、床用ノズルやすき間ノズルを使用しても布地がノズルに吸い付き、すべてのホコリを取り除くのは時間もかかりたいへんな作業である。
【先行技術文献】
【特許文献】
【０００３】
【特許文献１】特開２００３−１０２６５７号公報
【特許文献２】特開昭５８−０５４９２０号公報
【発明の概要】
【発明が解決しようとする課題】
【０００４】  本発明の掃除機ノズル用回転ブラシは、上述した掃除しにくい場所を手軽に掃除できる器具を提供しようとするものである。
【課題を解決するための手段】
【０００５】  上記課題を解決するための本発明は、軸受に通した軸棒の一端にブラシを、他端に気流を受けて回転するプロペラを取り付け、軸受の周囲に複数のプレートを放射状かつプレート外縁が円弧を描くように配した放射状プレートを装着し、掃除機への通電による吸気発生により軸棒に連結したプロペラおよびブラシが回転する構造を有するものである。【０００６】  さらに、本発明のブラシ回転は、掃除機吸気ホースの延長線を中心軸として回るこまと同じ回転方向であり、水平軸を中心軸とする回転とは異なることを特徴としている。【０００７】  また、本発明の回転ブラシは、ブラシのはけ毛を束ねるホルダーの断面形状が長方形、正方形、楕円形、円形その他の多角形や変形など形状を選ばないものである。
【発明の効果】
【０００８】（１）汚れた部分に回転ブラシが当たってゴミやホコリをかき出し、そのまま吸気ホースに吸い込むため、汚れの除去が確実かつ容易にできる。
（２）布などのような柔軟性のある素材に付着したホコリ等を取り除く場合、吸気口が直接対象物に接触しないため吸気口に布が吸い付くことがない。
【図面の簡単な説明】
【０００９】
【図１】  回転ブラシユニットを示す斜視図である。
【図２】  回転ブラシユニットを掃除機の吸気ホースに装着したところを示す斜視図である。
【図３】  回転ブラシで複雑に入り組んだ電気配線にたまったホコリをかき出している使用説明図である。
【図４】  回転ブラシでカーテンなどの布地に付着したホコリを取り除く際の、ホコリの流れを示す一部断面説明図である。
【発明を実施するための形態】
【００１０】  以下、本発明の実施の形態を図１〜図４に基づいて説明する。なお、ここで説明する掃除機は電気掃除機のことを指す。
（実施の形態１）
【００１１】  図１は本発明の実施の形態１に係る、掃除機ノズルの回転ブラシユニット斜視図である。軸棒２の一端にははけ毛ホルダー６により束ねた回転ブラシ１を、他端には気流で回転するプロペラ４を装着し、軸受３で支える。この回転ブラシユニットは、ブラシ、プロペラ、軸棒、軸受、放射状プレートから成る独立した単体であり、機械的な動力は一切使用しておらず、空気の流れによるプロペラ回転を特徴とする。
【００１２】  回転ブラシ１のはけ毛ははけ毛ホルダー６により束ねてあるが、使用状況を考慮した場合、耐久性があって油絵を描くときに使う絵筆のような剛毛がよい。素材としてはナイロン繊維、アクリル繊維などで静電気を発生しにくい素材が理想的である。しかし、完全に静電気を防ぐことは困難なので、必要に応じて静電気防止スプレーを使用することも考えたい。なお、はけ毛を束ねたときの断面形状は、円形、楕円形、長方形、正方形その他いずれでもよいが、被清掃物の細部まで届くように中央がややとがった形にした方が効果的である
【００１３】  図２は掃除機ノズルの回転ブラシユニットを使用する状態を示す斜視図であるが、回転ブラシユニットは直接吸気ホース７につなぐのがよい。掃除機には通常ホース７の先につなぐ延長管があるが、回転ブラシユニットの操作動作が制約されるため使用しない方が効率的である。その場合、吸気ホース７の吸い込み口にプロペラ４のある側から差し込み、放射状プレート５を半分ほど挿入したところで留める。つまり、放射状プレート５の前半分と回転ブラシ１の全体が外側に出ている状態とする。
【００１４】  電源コード９をコンセントに差し込み掃除機本体８のスイッチを入れると、掃除機が吸気ホース７の先端から空気を吸い込み、その気流によりプロペラ４が回転し、それに直結する回転ブラシ１も回転する。すなわち、回転ブラシ１はモーターや歯車により動くのではなく、放射状プレート５のプレートの間を後方に向かって流れる気流によりプロペラ４が回転するしくみであるため、掃除機使用中に先端の回転ブラシ１が何かの障害物に当たり回転を止めても、機械的に無理がかかることはなく、故障の原因ともなりにくい。
【００１５】  図３は束ねた電気配線１０の間にたまったホコリを取り除く場合を想定した使用イメージ図である。このように電線が入り組んだ狭い空間にたまったホコリは、通常の掃除機の床用ノズルを使ってすべてを取り去ることはむずかしいし、すき間ノズルを使っても電線の表面しかきれいにすることができない。回転ブラシ１は電気配線１０の中に入り込み、たまったホコリをかき出すとともに舞い上がらせ、空中に舞い上がったところを一気に吸気ホース７が吸い込むのである。またこれに関連して、長期間放置されたプラグの周囲にたまったホコリについても、漏電でホコリに引火して火災の原因となりうるため、コンセント周りの掃除も火災予防の点から重要である。
【００１６】  図４は、カーテンのようにふんわりとした布地などを掃除する場合を想定したイメージ図である。一般的に、カーテンなどの布地にたまったホコリ１３を除去しようと掃除機ノズルを当てても、真空吸気でノズルが布地にピタッとくっついて始末に負えないが、そのようなときに便利なのがこの回転ブラシユニットである。回転ブラシ１と吸気ホース７入口との間には回転ブラシ１および放射状プレート５が存在して通気路が常に確保され、布地が吸気口に吸い付く余地はないので、舞い上がったホコリ１３は他所に行く前に吸気ホース７内に取り込まれる。回転ブラシユニットのプロペラは、カーテン掃除中は休まず回転し続けるが、ホコリ１３を吸い込む力はなく、回転ブラシ１を回転させることだけを使命としている。
【符号の説明】
【００１７】  １・・・回転ブラシ
２・・・軸棒
３・・・軸受
４・・・プロペラ
５・・・放射状プレート
６・・・はけ毛ホルダー
７・・・吸気ホース
８・・・掃除機本体
９・・・電源コード
１０・・・電気配線
１１・・・プラグ
１２・・・カーテン
１３・・・ホコリ
【図１】
2020054769.tif 000003
【図２】
2020054769.tif 000004
【図３】
2020054769.tif 000005
【図４】
2020054769.tif 000006